(57)【特許請求の範囲】
【請求項１】
底壁と周壁とを備える本体部と、
前記本体部に一体に設けられ、壁面に取り付けられたバーに直接引っ掛けられるフック部と、を有し、
前記周壁は、
円弧状に設けられた円弧部と、
前記円弧部の両端に連接する連接部と、を備え、
前記本体部を前記底壁と反対側から見た場合の形状がＤ形状をなし、
前記本体部が、前記連接部を下側にして自立し、
前記連接部は、
前記底壁側に位置する第１接続面と、
前記底壁と反対側に位置する第２接続面と、
前記第１接続面が前記第２接続面より内側に位置するように前記第１接続面と前記第２接続面に接続する段差部と、を有し、
前記フック部は、前記第１接続面との間にフック溝を形成されていること、
を特徴とする湯桶。
【請求項２】
請求項１に記載する湯桶において、
前記フック部が前記バーに直接引っ掛けられた場合に、前記周壁のうち前記フック部が設けられた部分と対向する位置にある部分が、前記底壁と反対に位置する開口端部側を底壁側に位置する閉鎖端部側より下に配置するように、前記フック部が前記本体部に設けられていること、
を特徴とする湯桶。
【請求項３】
請求項１又は請求項２に記載する湯桶において、
前記フック部は、前記第２接続面の前記底壁と反対側の端部から底壁側に向かって、又は、前記第２接続面の底壁側の端部から底壁側に向かって、設けられていること、
を特徴とする湯桶。
【請求項４】
請求項１から請求項３のいずれか１つに記載する湯桶において、
前記第１接続面と前記第２接続面は、前記本体部が前記連接部を下側にして自立した場合に、前記底壁と反対側を前記底壁側より下側に配置するように傾斜が設けられていること、
を特徴とする湯桶。
【請求項５】
請求項１から請求項４のいずれか１つに記載する湯桶において、
前記フック部と前記第２接続面とに結合し、前記フック部を補強する補強部を有すること、
を特徴とする湯桶。
【請求項６】
請求項１から請求項５のいずれか１つに記載する湯桶において、
前記フック部は、底壁側に折り曲がる屈曲部を有し、前記屈曲部に貫通穴が形成されていること、
を特徴とする湯桶。
【発明の詳細な説明】
【技術分野】
【０００１】
本発明は、浴室などで使用される湯桶に関する。
【背景技術】
【０００２】
湯桶は、底壁と周壁とを備える有底円筒形状をなし、例えば、浴室にて、体や顔を洗うための湯を溜めたり、浴槽の湯を汲み出したりするのに使用される。湯桶は、カビの繁殖などを防ぐため、使用後に水切りすることが望ましい。例えば、特許文献１、特許文献２、特許文献３には、水切りするための工夫が施された湯桶が開示されている。
【０００３】
特許文献１には、底壁にマグネットを備え、底壁が床と垂直なるようにマグネットを介して浴室の壁面に取り付けられる湯桶が開示されている。
【０００４】
特許文献２には、周壁に穴が設けられ、例えば、タオル掛けに引っ掛けられたＳ字フックが穴に通されることにより、タオル掛けに吊り下げられる湯桶が開示されている。
【０００５】
特許文献３には、コの字形の取っ手が周壁の上面に設けられ、周壁の一部分に切り欠き部分が設けられた湯桶が開示されている。この湯桶は、取っ手と切り欠き部分を利用して自立（起立）した姿勢で水切りされる。なお、湯桶は、取っ手がＳ字フックを介してタオル掛けに引っ掛けられ、タオル掛けに吊り下げられる。
【先行技術文献】
【特許文献】
【０００６】
【特許文献１】実用新案登録３２２０８５７号公報
【特許文献２】特開２０１４−１３３０７５号公報
【特許文献３】特開２００８−８００８５号公報
【発明の概要】
【発明が解決しようとする課題】
【０００７】
しかしながら、従来技術には以下の問題があった。特許文献１に記載される湯桶は、底壁が壁面に当接した状態で壁面に取り付けられる。そのため、底壁と壁面との間の通気性が悪く、底壁の外側に汚れやカビが生じやすかった。また、マグネットを必要とするため、コスト高であった。また、特許文献２及び特許文献３に記載される湯桶は、タオル掛けに引っ掛けるためのＳ字フックが必要で、使い勝手が悪かった。更に、特許文献３に記載される湯桶は、周壁の上面に突き出した取っ手が、顔などを洗う際に邪魔だった。よって、従来の湯桶には、水切り性能や使い勝手を改善する余地があった。
【０００８】
本発明は、上記問題点を解決するためになされたものであり、水切り性能と使い勝手が良い湯桶を提供することを目的とする。
【課題を解決するための手段】
【０００９】
本発明の一態様は、次のような構成を有している。（１）底壁と周壁とを備える本体部と、前記本体部に一体に設けられ、壁面に取り付けられたバーに直接引っ掛けられるフック部と、を有すること、を特徴とする湯桶である。
【００１０】
上記構成の湯桶は、例えば、浴室の壁面側に底壁を向け、本体部の開口部を浴室の壁面と反対側に向けた姿勢で、フック部を介してタオル掛けに直接吊り下げられ、水切りされる。タオル掛けに吊り下げられた本体部は、底壁と壁面との間に隙間を形成し、通気性を確保する。よって、底壁の外側に汚れやカビが生じにくい。また、上記構成の湯桶は、Ｓ字フックがなくても、フック部を介してバーに直接引っ掛けることができ、使い勝手がよい。さらに、フック部は、コの字形の取っ手に比べてコンパクトで本体部からあまり出っ張らないので、顔などを洗う際に邪魔になりにくい。よって、上記構成によれば、水切り性能と使い勝手がよい湯桶を実現できる。
【００１１】
（２）（１）に記載する湯桶において、前記フック部が前記バーに直接引っ掛けられた場合に、前記周壁のうち前記フック部が設けられた部分と対向する位置にある部分が、前記底壁と反対に位置する開口端部側を底壁側に位置する閉鎖端部側より下に配置するように、前記フック部が前記本体部に設けられていること、が好ましい。
【００１２】
上記構成の湯桶は、フック部を介してバーに吊り下げられた場合に、本体部に付着した水が自然に流れ落ち、水切り性能がよい。
【００１３】
（３）（１）または（２）に記載する湯桶において、前記周壁は、円弧状に設けられた円弧部と、前記円弧部の両端に連接する連接部と、を備え、前記本体部を前記底壁と反対側から見た場合の形状がＤ形状をなし、前記本体部が、前記連接部を下側にして自立すること、が好ましい。
【００１４】
上記構成の湯桶は、例えばタオル掛けがない、或いは、タオル掛けを使用しない場合でも、湯桶を自立させて水切りでき、水切り性能がよい。
【００１５】
（４）（３）に記載する湯桶において、前記連接部は、前記底壁側に位置する第１接続面と、前記底壁と反対側に位置する第２接続面と、前記第１接続面が前記第２接続面より内側に位置するように前記第１接続面と前記第２接続面に接続する段差部と、を有し、前記フック部は、前記第１接続面との間にフック溝を形成されていること、が好ましい。
【００１６】
上記構成の湯桶は、周壁に設けた段差部を利用して、フック部のフック溝を形成しているので、連接部より外側にあまり張り出さないようにフック部を本体部に一体に設けることができ、使用時にフック部が邪魔にならない。
【００１７】
（５）（４）に記載する湯桶において、前記フック部は、前記第２接続面の前記底壁と反対側の端部から底壁側に向かって、又は、前記第２接続面の底壁側の端部から底壁側に向かって、設けられていること、が好ましい。
【００１８】
上記構成の湯桶は、フック部が第２接続面の底壁と反対側の端部より外側に張り出さずに設けられるので、フック部がない湯桶と同様の感覚で使用でき、使いやすい。
【００１９】
（６）（４）または（５）に記載する湯桶において、前記第１接続面と前記第２接続面は、前記本体部が前記連接部を下側にして自立した場合に、前記底壁と反対側を前記底壁側より下側に配置するように傾斜が設けられていること、が好ましい。
【００２０】
上記構成の湯桶は、自立したときに、第１接続面と第２接続面が下向きに傾斜するので、本体部の内面に付着した水が第１接続面、段差部、第２接続面を介して流れ落ちやすく、水切り性能がよい。
【００２１】
（７）（４）から（６）のいずれか１つに記載する湯桶において前記フック部と前記第２接続面とに結合し、前記フック部を補強する補強部を有すること、が好ましい。
【００２２】
上記構成の湯桶は、例えば、ユーザがフック部を持って湯桶を使用する場合にフック部や連接部の変形や破損を抑制できる。
【００２３】
（８）（５）から（７）のいずれか１つに記載する湯桶において、前記フック部は、底壁側に折り曲がる屈曲部を有し、前記屈曲部に貫通穴が形成されていること、が好ましい。
【００２４】
上記構成の湯桶は、自立した場合に、水がフック部に溜まらず、フック部に汚れやカビが溜まりにくい。
【発明の効果】
【００２５】
本発明によれば、水切性能と使い勝手が良い湯桶を実現することができる。
【図面の簡単な説明】
【００２６】
【図１】本発明の一実施形態に係る湯桶の外観斜視図である。
【図２】湯桶の外観斜視図である。
【図３】湯桶の正面図である。
【図４】湯桶の上面図である。
【図５】図４のＡ−Ａ断面図である。
【図６】湯桶の右側面図である。
【図７】湯桶の左側面図である。
【図８】湯桶の背面図である。
【図９】湯桶の下面図である。
【図１０】湯桶の使用例を説明する図である。
【図１１】湯桶の使用例を説明する図である。
【図１２】湯桶の第１変形例を示す図である。
【図１３】湯桶の第２変形例を示す図である。
【図１４】湯桶の第３変形例を示す図である。
【図１５】湯桶の第４変形例を示す図である。
【発明を実施するための形態】
【００２７】
以下に、本発明に係る湯桶の一実施形態について図面に基づいて説明する。
【００２８】
図１０及び図１１は湯桶１の使用例を説明する図である。湯桶１は、有底円筒形状の本体部２にフック部３を一体に設けたものであり、例えば浴室で使用される。湯桶１は、例えば、体や顔などを洗う際に湯を本体部２に溜めたり、浴槽の湯を本体部２ですくったりする。使用された湯桶１は、例えば図１０に示すように、浴室の壁面１０に取り付けられたタオル掛け１２のバー１２ａに吊り下げられたり、例えば図１１に示すように自立した姿勢で浴室の床１４に置かれたりして、水切りされる。タオル掛け１２は、「壁面に固定されたバー」の一例である。
【００２９】
湯桶１の構成を説明する。図１及び図２は、湯桶１の外観斜視図である。湯桶１の本体部２は、底壁２１と周壁２３とを備える。
【００３０】
図３は、湯桶１の正面図である。周壁２３は、底壁２１側（図中下側）から底壁２１と反対側（図中上側）に向かって、径外方向に広がるように傾斜している。
【００３１】
図４は、湯桶１の上面図である。底壁２１は、Ｄ形状をなし、周壁２３は、底壁２１の外縁部に沿って立設されている。周壁２３は、円弧形状に設けられた円弧部２３１と、円弧部２３１の両端に連接する連接部２３３と、を備え、本体部２を底壁２１と反対側（開口端部側、上方）から見た形状（平面形状）がＤ形状をなす。
【００３２】
図５は、図４のＡ−Ａ断面図である。連接部２３３には、第１接続面２３３ａと、第２接続面２３３ｂと、段差部２３３ｃとが含まれる。第１接続面２３３ａは、底壁２１側（図５において右側）に位置し、第２接続面２３３ｂは、底壁２１と反対側（図５において左側）に位置する。段差部２３３ｃは、第１接続面２３３ａが第２接続面２３３ｂより内側（本体部２の中心側、図５において下側）に位置するように第１接続面２３３ａと第２接続面２３３ｂに連接して設けられている。
【００３３】
図２に示すように、第１接続面２３３ａと第２接続面２３３ｂは、平面状に設けられている。図５に示すように、第１接続面２３３ａと第２接続面２３３ｂは、それぞれ、底壁２１と反対側（図５において左側）を底壁２１側（図５において右側）より外側（図５において上側）に配置するように傾斜している。
【００３４】
図６は湯桶１の右側面図、図７は湯桶１の左側面図である。図６及び図７に示すように、フック部３は、連接部２３３の外側に設けられている。フック部３は、連接部２３３の底壁２１と反対側（図６及び図７において上側）に位置する開口端部から底壁２１の位置（図６及び図７において下側）まで、底壁２１と直交する方向に延設され、先端部が底壁２１側に折れ曲げてられて屈曲部３４を形成している。これにより、フック部３は、連接部２３３の開口端部側より外側に張り出さないように、本体部２に一体に設けられている。フック部３は、湯桶１の連接部２３３を下側にした場合に本体部２を安定して自立させることができる幅で設けられている。フック部３は、補強部３９を介して第２接続面２３３ｂに結合され、補強されている。フック部３は、第１接続面２３３ａとの間に所定幅のフック溝４０が形成されている。すなわち、フック溝４０は、屈曲部３４と補強部３９と第１接続面２３３ａとにより形成されている。
【００３５】
フック部３は、底壁２１側（図５において右側）に位置する先端部３３が底壁２１側に屈曲し、Ｌ形状ないしはＪ形状に設けられている。フック部３と第１接続面２３３ａとの間には、フック溝４０が所定間隔Ｗで形成されている。よって、湯桶１は、例えば図１０に示すように、タオル掛け１２のバー１２ａをフック溝４０の開口部から挿入し、フック部３をバーに引っ掛けることができるようになっている。湯桶１は、フック部３と第２接続面２３３ｂとの結合し、フック部３を補強する補強部３９を有する。
【００３６】
図８は湯桶１の背面図である。図９は湯桶１の下面図である。フック部３の屈曲部３４には、貫通穴３５が設けられている。貫通穴３５は、屈曲部３４に沿って形成され、フック溝４０の内面に沿って流れる水が貫通穴３５を通ってフック溝４０の外に流れ出すようになっている。さらに、フック部３は、連接部２３３と反対側に位置する支持面３１に、凹部３７が形成されている。
【００３７】
続いて、湯桶１の使用方法について説明する。例えば、ユーザは、体や顔などを洗う際に、湯桶１を用いて浴槽の水を汲み出したり、湯桶１に溜めた湯を体にかけたりする。このとき、フック部３の横幅が広いため、ユーザは、フック部３に指を引っ掛けて湯桶１を使用できる。フック部３が補強部３９を介して補強されているため、ユーザがフック部３に指を引っ掛けて湯桶１を使用しても、フック部３が変形したり、破損したりしない。また、フック部３が、本体部２の上方や連接部２３３の開口端部より外側に張り出さないように設けられているので、ユーザは、湯桶１を使用する時にフック部３が邪魔にならず、従来の湯桶と同様に湯桶１を使用できる。
【００３８】
湯桶１は、底壁２１を床１４に当接させている場合、段差部２３３ｃと床１４との間に隙間ができる。このとき、底壁２１の位置まで延設されたフック部３が屈曲部３４を床１４に当接させ、本体部２を支える。フック部３は、横幅が広い板状に設けられているので、本体部２を安定した姿勢で支持する。よって、湯桶１の使用中に、本体部２が段差部２３３ｃ側に傾かず、ユーザは、従来の湯桶と同様に湯桶１を使用できる。
【００３９】
なお、湯桶１は、段差部２３３ｃを備えるため、段差部２３３ｃを備えない場合より本体部２の容量が少ない。よって、湯桶１は、水の使用量を抑制できる。
【００４０】
使用された湯桶１は、例えば図１０に示すように、タオル掛け１２のバー１２ａに吊り下げて水切りされる。すなわち、湯桶１は、フック溝４０の開口部からタオル掛け１２のバー１２ａが挿入され、フック部３を介してバー１２ａに吊り下げられる。フック溝４０は湯桶１の重心より底壁２１側に設けられている。そのため、バー１２ａに引っ掛けられた湯桶１は、バー１２ａを支点に底壁２１側に（図中Ｋ方向に）回転する。バー１２ａが壁面１０から離れた位置にあるため、湯桶１は、底壁２１と周壁２３とが連接する連接部分のうち、フック部３と反対側の部分Ｐを、浴室の壁面１０に当接させるまで回転し、底壁２１が斜め下向きになる姿勢でバー１２ａに吊り下げられる。これにより、湯桶１に付着した水は、図中矢印Ｆ１、矢印Ｆ２に示すように流れ落ちる。よって、湯桶１は、十分に水切りされて乾燥し、汚れやカビが付着しにくい。
【００４１】
また、使用された湯桶１は、例えば図１１に示すように、フック部３と連接部２３３を下側にする姿勢で床１４に置かれた場合、自立する。フック部３の支持面３１が底壁２１と垂直に設けられているので、湯桶１は、底壁２１を垂直にした状態で自立する。よって、湯桶１に付着した水が、図中矢印Ｆ１１、矢印Ｆ１２、矢印Ｆ１３に示すように流れ落ち、本体部２の表面（底壁２１の内面と外面、周壁２３の内面と外面）が乾燥しやすい。
【００４２】
このとき、湯桶１の下側に位置する連接部２３３は、第１接続面２３３ａと第２接続面２３３ｂが底壁２１と反対側（図１１において右側）を底壁２１側（図１１において右側）より低くするように傾斜している。そのため、底壁２１から流れ落ちた水は、第１接続面２３３ａ、段差部２３３ｃ、第２接続面２３３ｂを介して床１４に流れ落ちる。
【００４３】
ところで、フック部３は、屈曲部３４が先端部に設けられている。そのため、図１１の矢印Ｆ２１に示すように、湯桶１を自立させた場合、水が屈曲部３４の内側に流れ落ちて溜まる可能性がある。しかし、フック部３は、屈曲部３４に貫通穴３５が形成されている。そのため、屈曲部３４に流れ落ちた水は、貫通穴３５を介して床１４に流れ落ち、屈曲部３４に溜まらない。よって、フック部３の内側にカビや汚れが溜まりにくい。
【００４４】
さらに、フック部３の支持面３１は、中央部に凹部３７を備え、床１４との間に隙間を形成する。つまり、支持面３１と床１４との接触面積が小さい。そのため、湯桶１は、自立姿勢で水切りされる場合でも、支持面３１と床１４との間の通気性を確保し、支持面３１に汚れやカビが付着することを抑制できる。
【００４５】
以上説明したように、本形態の湯桶１は、例えば、浴室の壁面１０側に底壁２１を向け、本体部２の開口部を浴室の壁面１０と反対側に向けた姿勢で、フック部３を介してタオル掛け１２に直接吊り下げられ、水切りされる。タオル掛け１２に吊り下げられた本体部２は、底壁２１と壁面１０との間に隙間を形成し、通気性を確保する。よって、底壁２１の外側に汚れやカビが生じにくい。また、本形態の湯桶１は、Ｓ字フックがなくても、フック部３を介してバー１２ａに直接引っ掛けることができ、使い勝手がよい。さらに、フック部３は、コの字形の取っ手に比べてコンパクトで本体部２からあまり出っ張らないので、顔などを洗う際に邪魔になりにくい。よって、本形態によれば、水切り性能と使い勝手がよい湯桶１を実現できる。
【００４６】
尚、本発明は、上記実施形態に限定されることなく、色々な応用が可能である。例えば、湯桶１は、洗面所など、浴室以外の場所で使用されてもよい。この場合、湯桶１は、例えば洗面所のタオル掛けに吊り下げられてもよい。
【００４７】
例えば、湯桶１は、フック部３がバー１２ａに引っ掛けられた場合に、周壁２３のうちフック部３が設けられた部分と対向する位置にある部分が、開口端部側を閉鎖端部側より下に配置するように、フック部３が設けられていなくてもよい。ただし、このような構成を採用することにより、湯桶１は、フック部３を介してバー１２ａに吊り下げられた場合に、本体部２に付着した水が自然に流れ落ち、水切り性能がよい。
【００４８】
例えば図１２の第１変形例に示す湯桶１Ａのように、円形状の底壁２１Ａに沿って周壁２３Ａを円筒状に設け、本体部２Ａを形成してもよい（図１２（ａ）（ｂ））。すなわち、湯桶１Ａは、周壁２３Ａに連接部が設けられておらず、自立しなくてもよい。但し、上記形態の湯桶１のように自立することにより、例えばタオル掛け１２がない、或いは、タオル掛け１２を使用しない場合でも、湯桶１を自立させて水切りでき、水切り性能がよい。
【００４９】
図１２に示す湯桶１Ａのように、周壁２３Ａが第１接続面２３３ａと第２接続面２３３ｂと段差部２３３ｃとを備えず、フック部３Ａのみでフック溝４０を形成してもよい（図１２（ｃ））。但し、上記形態のように、第２接続面２３３ｂとフック部３との間でフック溝４０を形成することにより、周壁２３より外側にあまり張り出さないようにフック部３を本体部２に一体に設けることができ、使用時にフック部３が邪魔にならない。
【００５０】
また、フック部３Ａが、周壁２３Ａの開口端部から本体部２Ａの径外方向に向かって斜めに設けられてもよい（図１２（ａ））。但し、上記形態のように、フック部３が周壁２３の開口端部より外側に張り出さないことにより、フック部３が邪魔にならない。
【００５１】
例えば図１３の第２変形例に示す湯桶１Ｂのように、Ｄ形状の本体部２（周壁２３）に対し（図１３（ａ））、フック部３Ｂが第２接続面２３３ｂの底壁側の端部から底壁２１側に向かってアーチ状に設けられていてもよい（図１３（ｂ）（ｃ））。フック部３Ｂは、第１接続面２３３ａとの間にフック溝４０が形成されている。フック部３Ｂは、補強部３９を介して第２接続面２３３ｂに結合され、補強するとよい。なお、この場合も、フック部３Ｂは、連接部２３３の開口端部（図中上端部）より外側に張り出さないように設けることが望ましい。
【００５２】
例えば図１４の第３変形例に示す湯桶１Ｃのように、Ｄ形状の本体部２（周壁２３）に対し（図１４（ａ））、フック部３Ｃが第２接続面２３３ｂの底壁２１側の端部から底壁２１側に向かって一体に設けられ（図１４（ｂ）（ｃ））、補強部３９を備えなくてもよい。補強部３９は肉盗みにより設けてもよい。
【００５３】
例えば図１５の第４変形例に示す湯桶１Ｄのように、周壁２３の連接部２３３の外側に、連接部２３３の開口端部から底壁２１側に向かってフック部３Ｄを延設し、フック部３Ｄの両側に肉盗みを設けてもよい（図１５（ａ）（ｂ））。
【００５４】
例えば上記第１〜第４変形例の湯桶１Ａ〜１Ｄは、本体部２の開口端部が外側に折り返され、エッジ部Ｅｇが設けられている。ユーザは、フック部３Ａ〜３Ｄだけでなく、エッジ部Ｅｇに指を引っ掛けて湯桶１Ａ〜１Ｄを使用する。なお、このエッジ部Ｅｇは省略してもよい。また、上記形態の湯桶１にエッジ部Ｅｇを設けてもよい。
【００５５】
例えば、連接部２３３は、第１接続面２３３ａと第２接続面２３３ｂとの間に段差部２３３ｃを備えないようにしてもよい。但し、段差部２３３ｃを備えることにより、連接部２３３の底壁２１と反対側に位置する端部より外側に張り出さないように、フック部３を連接部２３３の外側に設けることができ、湯桶１を使用する時にフック部３が邪魔にならない。また、湯桶１は、ユーザが使い易く、見栄えがよい。
【００５６】
例えば、第１接続面２３３ａと第２接続面２３３ｂは、湯桶１を自立させた場合に、底壁２１と反対側を底壁２１側より下に配置するように傾斜していなくてもよい。ただし、第１接続面２３３ａと第２接続面２３３ｂにかかる傾斜を設けることにより、湯桶１を自立させたときに、本体部２の内面に付着した水が第１接続面２３３ａ、段差部２３３ｃ、第２接続面２３３ｂを介して流れ落ちやすく、水切り性能がよい。
【００５７】
例えば、補強部３９はなくてもよい。但し、上記形態のように、フック部３が補強部３９を介して第２接続面２３３ｂに結合され、補強されることにより、例えば、ユーザがフック部３を持って湯桶１を使用する場合にフック部３や連接部２３３の変形や破損を抑制できる。
【００５８】
例えば、貫通穴３５はなくてもよい。但し、上記形態のようにフック部３の屈曲部３４に貫通穴３５を設けることにより、水がフック部３の内側に溜まらず、フック部３に汚れやカビが溜まりにくい。
【００５９】
例えば、凹部３７はなくてもよい。また、貫通穴３５は、長穴ではなく、複数の丸穴にしてもよい。
【符号の説明】
【００６０】
１      湯桶
２      本体部
３      フック部
１０    壁面
１２ａ  バー
２１    底壁
２３    周壁
【図１】
0006943476.tif 000002
【図２】
0006943476.tif 000003
【図３】
0006943476.tif 000004
【図４】
0006943476.tif 000005
【図５】
0006943476.tif 000006
【図６】
0006943476.tif 000007
【図７】
0006943476.tif 000008
【図８】
0006943476.tif 000009
【図９】
0006943476.tif 000010
【図１０】
0006943476.tif 000011
【図１１】
0006943476.tif 000012
【図１２】
0006943476.tif 000013
【図１３】
0006943476.tif 000014
【図１４】
0006943476.tif 000015
【図１５】
0006943476.tif 000016